【手続補正書】
【提出日】平成21年9月11日(2009.9.11)
【手続補正１】
【補正対象書類名】明細書
【補正対象項目名】発明の名称
【補正方法】変更
【補正の内容】
【発明の名称】カラー画像形成装置及びカラー画像の制御方法
【手続補正２】
【補正対象書類名】明細書
【補正対象項目名】特許請求の範囲
【補正方法】変更
【補正の内容】
【特許請求の範囲】
【請求項１】  複数のカラー色材を混色した混色パッチを転写材上に形成する画像形成手段と、前記混色パッチの色値を検知する検知手段とを備え、前記検知手段によって検知された色値に基づいて画像形成条件を補正するカラー画像形成装置において、
前記画像形成手段は、前記複数のカラー色材における各色の階調値の複数通りの組み合わせにより、複数の混色パッチを形成し、
更に、前記検知手段により検知された前記複数の混色パッチの色値と、目標となるブラックの色値とに基づき、混色パッチの色値を前記ブラックの目標の色値に近付けるようにする、前記複数のカラー色材における各色の階調値の新たな組み合わせを求めるとともに画像形成条件を補正する補正手段と、
を備えることを特徴とするカラー画像形成装置。
【請求項２】  所定条件下において、再度前記複数の混色パッチを形成するときに、前記画像形成手段は、前回において前記補正手段により求められた前記複数のカラー色材における各色の階調値の新たな組み合わせに基づき、前記複数の混色パッチを形成することを特徴とする請求項１に記載のカラー画像形成装置。
【請求項３】  前記各色はシアン、マゼンタ及びイエローであり、前記各色の階調値の複数通りの組み合わせは、シアン、マゼンタ及びイエローについて、基準値から所定量だけ増加或いは減少させた前記シアン、マゼンタ及びイエローの各色の階調値の組み合わせであることを特徴とする請求項１又は２に記載のカラー画像形成装置。
【請求項４】  再度前記複数の混色パッチが形成されるときに、前記基準値は、前回に前記補正手段により求められた前記複数のカラー色材における各色の階調値の新たな組み合わせに従っていることを特徴とする請求項３に記載のカラー画像形成装置。
【請求項５】  前記画像形成手段は転写材上に形成されている未定着のトナー像を定着する定着手段を備え、
前記検知手段は、前記定着手段より下流に配置されていることを特徴とする請求項１乃至４の何れか１項に記載のカラー画像形成装置。
【請求項６】  前記補正手段は、前記パッチの各色の階調値を説明変量とし、前記検知手段によって検知された色値を目的変量として、重回帰分析により、混色パッチの色値を前記ブラックの目標の色値に近付けるようにする、前記シアン、マゼンタ及びイエローの階調値の新たな組み合わせを求めることを特徴とする請求項３乃至５の何れか１項に記載のカラー画像形成装置。
【請求項７】  画像形成手段により複数のカラー色材を混色した混色パッチを転写材上に形成し、検知手段により前記混色パッチの色値を検知し、前記検知された色値に基づいて画像形成条件を補正するカラー画像の制御方法において、
前記画像形成手段は、前記複数のカラー色材における各色の階調値の複数通りの組み合わせにより、複数の混色パッチを形成し、
前記検知された前記複数の混色パッチの色値と、目標となるブラックの色値とに基づき、混色パッチの色値を前記ブラックの目標の色値に近付けるようにする、前記複数のカラー色材における各色の階調値の新たな組み合わせを求めるとともに画像形成条件を補正することを特徴とするカラー画像の制御方法。
【手続補正３】
【補正対象書類名】明細書
【補正対象項目名】０００１
【補正方法】変更
【補正の内容】
【０００１】
【発明の属する技術分野】
本発明は、画像信号に基づいてカラー画像を形成するカラー画像形成装置及びカラー画像の制御方法に関し、特にその色度の調整に関するものである。
【手続補正４】
【補正対象書類名】明細書
【補正対象項目名】００１４
【補正方法】変更
【補正の内容】
【００１４】
本発明は、このような状況のもとでなされたもので、カラーセンサで検知された色度から精度良くプロセスグレーが無彩色となるシアン、マゼンタ、イエローの比率を求めることのできるカラー画像形成装置及びカラー画像の制御方法を提供することを目的とするものである。
【手続補正５】
【補正対象書類名】明細書
【補正対象項目名】００１５
【補正方法】変更
【補正の内容】
【００１５】
【課題を解決するための手段】
前記目的を達成するため、本発明では、カラー画像形成装置を次の（１）ないし（６）のとおりに構成し、カラー画像の制御方法を次の（７）のとおりに構成する。
【手続補正６】
【補正対象書類名】明細書
【補正対象項目名】００１６
【補正方法】変更
【補正の内容】
【００１６】
（１）複数のカラー色材を混色した混色パッチを転写材上に形成する画像形成手段と、前記混色パッチの色値を検知する検知手段とを備え、前記検知手段によって検知された色値に基づいて画像形成条件を補正するカラー画像形成装置において、
前記画像形成手段は、前記複数のカラー色材における各色の階調値の複数通りの組み合わせにより、複数の混色パッチを形成し、
更に、前記検知手段により検知された前記複数の混色パッチの色値と、目標となるブラックの色値とに基づき、混色パッチの色値を前記ブラックの目標の色値に近付けるようにする、前記複数のカラー色材における各色の階調値の新たな組み合わせを求めるとともに画像形成条件を補正する補正手段と、
を備えることを特徴とするカラー画像形成装置。
（２）所定条件下において、再度前記複数の混色パッチを形成するときに、前記画像形成手段は、前回において前記補正手段により求められた前記複数のカラー色材における各色の階調値の新たな組み合わせに基づき、前記複数の混色パッチを形成することを特徴とする前記（１）に記載のカラー画像形成装置。
（３）前記各色はシアン、マゼンタ及びイエローであり、前記各色の階調値の複数通りの組み合わせは、シアン、マゼンタ及びイエローについて、基準値から所定量だけ増加或いは減少させた前記シアン、マゼンタ及びイエローの各色の階調値の組み合わせであることを特徴とする前記（１）又は（２）に記載のカラー画像形成装置。
（４）再度前記複数の混色パッチが形成されるときに、前記基準値は、前回に前記補正手段により求められた前記複数のカラー色材における各色の階調値の新たな組み合わせに従っていることを特徴とする前記（３）に記載のカラー画像形成装置。
（５）前記画像形成手段は転写材上に形成されている未定着のトナー像を定着する定着手段を備え、
前記検知手段は、前記定着手段より下流に配置されていることを特徴とする前記（１）乃至（４）の何れか１項に記載のカラー画像形成装置。
（６）前記補正手段は、前記パッチの各色の階調値を説明変量とし、前記検知手段によって検知された色値を目的変量として、重回帰分析により、混色パッチの色値を前記ブラックの目標の色値に近付けるようにする、前記シアン、マゼンタ及びイエローの階調値の新たな組み合わせを求めることを特徴とする前記（３）乃至（５）の何れか１項に記載のカラー画像形成装置。
（７）画像形成手段により複数のカラー色材を混色した混色パッチを転写材上に形成し、検知手段により前記混色パッチの色値を検知し、前記検知された色値に基づいて画像形成条件を補正するカラー画像の制御方法において、
前記画像形成手段は、前記複数のカラー色材における各色の階調値の複数通りの組み合わせにより、複数の混色パッチを形成し、
前記検知された前記複数の混色パッチの色値と、目標となるブラックの色値とに基づき、混色パッチの色値を前記ブラックの目標の色値に近付けるようにする、前記複数のカラー色材における各色の階調値の新たな組み合わせを求めるとともに画像形成条件を補正することを特徴とするカラー画像の制御方法。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】０１２１
【補正方法】変更
【補正の内容】
【０１２１】
【発明の効果】
以上説明したように、本発明によれば、複数の色材を混色したプロセスグレーパッチに関して、精度良くプロセスグレーが無彩色となる複数の色材の比率を求めることができる。